(57)【要約】【課題】被供給側からのサイフォン部の補助吸引を可能にすることにより、溶湯の迅速な移動が可能で、しかも、取鍋の形状やサイズの自由度を高め得る吸引式配湯装置を提供する。【解決手段】溶湯をサイフォン部１２を介して配湯する吸引式配湯装置であって、サイフォン部１２は、保持炉４内の溶湯に閉塞状態に浸漬される下端開口部２１ａを有し、保持炉４内の溶湯との間に減圧可能な吸引室を画成する一端開口形状の第１吸引管２１と、第１吸引管２１の所定高さ位置ｈ１に連結された基端部２２ａおよび配湯時に取鍋３内に挿入されて取鍋３内の溶湯に閉塞状態に浸漬される先端部２２ｂを有する第２吸引管２２とを含んで構成され、第１吸引管２１は、保持炉４内の溶湯の吸引室２３内における液面Ｌ２ａの高さを所定高さ位置ｈ１以上の所定範囲ｈａ内に引き上げるよう吸引室２３内を排気可能な排気口部２１ｃを有している。【選択図】図１
2020070719.tif 000002
【特許請求の範囲】
【請求項１】
金属の溶湯を貯留する一方の容器から他方の容器に前記溶湯を汲み出し可能なサイフォン部を有し、前記溶湯を前記サイフォン部を介して配湯する吸引式配湯装置であって、
前記サイフォン部は、
前記他方の容器内の溶湯に閉塞状態に浸漬される下端開口部を有し、前記他方の容器内の溶湯との間に減圧可能な吸引室を画成する一端開口形状の第１吸引管と、
前記第１吸引管の所定高さ位置に連結された基端部および前記配湯時に前記一方の容器内に挿入されて該一方の容器内の溶湯に閉塞状態に浸漬される先端部を有する第２吸引管と、を含んで構成され、
前記第１吸引管は、前記他方の容器内の溶湯の前記吸引室内における液面高さを前記所定高さ位置以上の所定範囲内に引き上げるよう前記吸引室内を減圧排気可能であることを特徴とする吸引式配湯装置。
【請求項２】
前記第１吸引管の前記下端開口部が前記他方の容器内の溶湯に閉塞状態に浸漬されるとき、
前記第２吸引管の前記先端部の鉛直方向高さが、前記他方の容器内の溶湯の液面高さよりも鉛直方向上方側に位置することを特徴とする請求項１に記載の吸引式配湯装置。
【請求項３】
前記配湯時における前記第２吸引管の先端部が、前記一方の容器内で内底壁面の近傍の下限液面高さ位置に配置されることを特徴とする請求項１または２に記載の吸引式配湯装置。
【請求項４】
前記他方の容器内の溶湯の前記吸引室内における液面高さが前記所定高さ位置から所定範囲を超えて上方に引き上げられたときに該溶湯の前記吸引室内における液面上昇を検知する異常検知手段をさらに備えていることを特徴とする請求項１ないし３のいずれか一項に記載の吸引式配湯装置。
【請求項５】
前記第１吸引管内の前記吸気室の横断面積が、前記第２吸引管内の通路の横断面積より大きいことを特徴とする請求項１ないし４のいずれか一項に記載の吸引式配湯装置。
【請求項６】
前記第２吸引管の前記先端部が前記一方の容器内の溶湯に閉塞状態に浸漬されるとき、前記第２吸引管の長さ方向の中間部が、前記一方の容器内の溶湯の液面高さよりも鉛直方向上方側に配置されることを特徴とする請求項１ないし５のいずれか一項に記載の吸引式配湯装置。
【請求項７】
供給側の炉内から取鍋内に受湯された金属の溶湯を汲み出し可能なサイフォン部を有し、前記溶湯を前記サイフォン部を介して前記取鍋から被供給側の炉内に配湯する吸引式配湯装置であって、
前記サイフォン部は、前記被供給側の炉内の溶湯に閉塞状態に浸漬される下端開口部を有し、前記被供給側の炉内の溶湯との間に減圧可能な吸引室を画成する一端開口形状の第１吸引管と、前記第１吸引管の所定高さ位置に連結された基端部および前記配湯時に前記取鍋に挿入されて該取鍋内の溶湯に閉塞状態に浸漬される先端部を有する第２吸引管と、を含んで構成され、
前記第１吸引管は、前記被供給側の炉内の溶湯の前記吸引室内における液面高さを前記所定高さ位置以上の所定範囲内に引き上げるよう前記吸引室内を排気可能な排気口部を有していることを特徴とする吸引式配湯装置。
【発明の詳細な説明】
【技術分野】
【０００１】
本発明は、吸引式配湯装置に関し、例えばダイカスト成形用の金属の溶湯を取鍋と保持炉等の炉の間で移動させるのに好適な吸引式配湯装置に関する。
【背景技術】
【０００２】
ダイカスト成形に使用されるアルミニウム合金等の金属の溶湯（溶融金属）は、一般に、集中溶解炉から取鍋、取鍋から手許炉や保持炉（保持炉ウェル）へと移してから、ダイカスト成形機等へ供給されている。
【０００３】
また、従前における溶湯の移動は、取鍋から手許炉や保持炉もしくは溶解炉等に配湯する際に、取鍋をリフトで傾けて出湯したり取鍋内を加圧して出湯したりすることにより行われていた。しかし、取鍋を傾ける前者の場合は、溶湯内ガスが外部に出たり溶湯が飛散したりする危険性があり、取鍋内を加圧する後者の場合は、前者よりも安全であるものの、配湯終了時の溶湯の飛散や溶湯内ガス量の増加という問題があった。
【０００４】
そこで、従来、集中溶解炉等から受湯する取鍋に溶湯汲み出し用のサイフォン部を設けて、そのサイフォン部の頂部に位置する小容器の内部を真空吸引することで、溶湯の特性を悪化させることなく取り扱いの安全性を高めるようにした液体用容器が提案されている（例えば、特許文献１参照）。
【先行技術文献】
【特許文献】
【０００５】
【特許文献１】特開２００５−１６１４０３号公報
【発明の概要】
【発明が解決しようとする課題】
【０００６】
しかしながら、上述のような従来のサイフォン式の配湯装置にあっても、供給側と被供給側の溶湯の液面レベルの差が小さくなると、サイフォン部における管内流量が低下して溶湯の移動（配湯）に時間がかかってしまうという問題があった。
【０００７】
また、取鍋にサイフォン部を設けていたため、配湯のためにリフト車両その他の荷役車両で搬送される取鍋の重量やコストが嵩んだり、取鍋の形状やサイズの自由度が損なわれたりしてしまうという問題があった。
【０００８】
そこで、本発明は、被供給側からのサイフォン部の補助吸引を可能にすることにより、溶湯の迅速な移動が可能で、しかも、取鍋の形状やサイズの自由度を高め得る吸引式配湯装置を提供することを目的とする。
【課題を解決するための手段】
【０００９】
本発明に係る吸引式配湯装置は、上記目的達成のため、金属の溶湯を貯留する一方の容器から他方の容器に前記溶湯を汲み出し可能なサイフォン部を有し、前記溶湯を前記サイフォン部を介して配湯する吸引式配湯装置であって、前記サイフォン部は、前記一方の容器内の溶湯に閉塞状態に浸漬される下端開口部を有し、前記一方の容器内の溶湯との間に減圧可能な吸引室を画成する一端開口形状の第１吸引管と、前記第１吸引管の所定高さ位置に連結された基端部および前記配湯時に前記他方の容器内に挿入されて該他方の容器内の溶湯に閉塞状態に浸漬される先端部を有する第２吸引管と、を含んで構成され、前記第１吸引管は、前記一方の容器内の溶湯の前記吸引室内における液面高さを前記所定高さ位置以上の所定範囲内に引き上げるよう前記吸引室内を減圧排気可能であることを特徴とする。
【００１０】
この構成により、本発明では、サイフォン効果を生じさせるための減圧排気による補助吸引が溶湯の移動先となる第２容器側から可能となり、第１容器および第２容器内の溶湯の液面レベルの差が小さくなっても、第２容器内における吸引管内外の溶湯の液面レベルの差を適度に保つことで、所要の溶湯移動速度を保つことができる。したがって、溶湯の迅速な移動が可能で、しかも、一方の容器の形状やサイズの自由度を高め得る吸引式配湯装置となる。
【００１１】
勿論、取鍋等の一方の容器を傾けるような配湯作業が必要でなく、一方の容器内のガスが外部に漏れ難いことから、配湯作業の安全性も確保できる。
【００１２】
本発明においては、前記第１吸引管の前記下端開口部が前記他方の容器内の溶湯に閉塞状態に浸漬されるとき、前記第２吸引管の前記先端部の鉛直方向高さが、前記他方の容器内の溶湯の液面高さよりも鉛直方向上方側に位置する構成とすることができる。このようにすると、供給側と被供給側の溶湯の液面高さの差を利用したサイフォン効果を有効に発揮させることができ、溶湯移動速度を十分に高めることができ、溶湯の迅速な移動が可能となる。
【００１３】
また、前記配湯時における前記第２吸引管の先端部が、前記一方の容器内で内底壁面の近傍の下限液面高さ位置に配置される構成とすることができる。このようにすると、一方の容器内の溶湯の略全量を確実に汲み出すことができる。
【００１４】
さらに、前記他方の容器内の溶湯の前記吸引室内における液面高さが前記所定高さ位置から所定範囲を超えて上方に引き上げられたときに該溶湯の前記吸引室内における液面上昇を検知する異常検知手段をさらに備えている構成とすることができる。この構成により、補助吸引の負圧を加えたサイフォン効果で溶湯移動速度が過剰に高まるのを、吸引管内の液面の過剰な上昇として検出でき、吸引室内の圧力制御により溶湯移動速度を制御できることになる。
【００１５】
本発明においては、前記第１吸引管内の前記吸気室の横断面積が、前記第２吸引管内の通路の横断面積より大きい構成とするのがよい。このようにすると、被供給側の第１吸引管内に吸引室を画成しながらも、第２吸引管内の流速を第１吸引管内より高めることで、配湯時に第２吸引管内の的確な排気と所要の溶湯移動速度の確保が可能となる。
【００１６】
また、前記第２吸引管の前記先端部が前記一方の容器内の溶湯に閉塞状態に浸漬されるとき、前記第２吸引管の長さ方向の中間部が、前記一方の容器内の溶湯の液面高さよりも鉛直方向上方側に配置されるとよい。このようにすると、略逆Ｖ形状に湾曲させた第２吸引管を一方の容器に対し上方から抜き差しでき、前述の第２吸引管内の溶湯移動速度の高速化と相俟って迅速で安全な配湯作業が可能となる。
【００１７】
本発明に係る吸引式配湯装置は、あるいは、供給側の炉内から取鍋内に受湯された金属の溶湯を汲み出し可能なサイフォン部を有し、前記溶湯を前記サイフォン部を介して前記取鍋から被供給側の炉内に配湯する吸引式配湯装置であって、前記サイフォン部は、前記被供給側の炉内の溶湯に閉塞状態に浸漬される下端開口部を有し、前記被供給側の炉内の溶湯との間に減圧可能な吸引室を画成する一端開口形状の第１吸引管と、前記第１吸引管の所定高さ位置に連結された基端部および前記配湯時に前記取鍋に挿入されて該取鍋内の溶湯に閉塞状態に浸漬される先端部を有する第２吸引管と、を含んで構成され、前記第１吸引管は、前記被供給側の炉内の溶湯の前記吸引室内における液面高さを前記所定高さ位置以上の所定範囲内に引き上げるよう前記吸引室内を排気可能な排気口部を有していることを特徴とするものである。
【００１８】
この構成により、本発明では、サイフォン効果を生じさせるための補助吸引が被供給側から可能となり、供給側と被供給側の溶湯の液面レベルの差が小さくなっても、被供給側における吸引管内外の溶湯の液面レベルの差を適度に保つことで、所要の溶湯移動速度を保つことができる。したがって、溶湯の迅速な移動が可能で、しかも、取鍋の形状やサイズの自由度を高め得る吸引式配湯装置となる。
【００１９】
また、荷役車両等による搬送が要求される取鍋にサイフォン部を装着する必要がなくなることで、取鍋の製造および搬送コストを低減できることとなり、取鍋の形状やサイズの自由度も高まることとなる。
【発明の効果】
【００２０】
本発明によれば、被供給側からのサイフォン部の補助吸引を可能にすることにより、溶湯の迅速な移動が可能で、しかも、取鍋の形状やサイズの自由度を高め得る吸引式配湯装置を提供することができる。
【図面の簡単な説明】
【００２１】
【図１】本発明の一実施形態に係る吸引式配湯装置の概略正面断面図である。
【図２】本発明の一実施形態に係る吸引式配湯装置を含むダイカスト成形システムの概略構成の説明図である。
【図３】本発明の他の実施形態に係る吸引式配湯装置の概略正面断面図である。
【発明を実施するための形態】
【００２２】
以下、本発明を実施するための形態について、図面を参照しつつ説明する。
【００２３】
（一実施形態）
図１および図２は、本発明の一実施形態に係る吸引式配湯装置とそれを含むダイカスト成形システムの概略構成を示している。
【００２４】
まず、構成について説明する。
【００２５】
図１ないし図２に示すように、本実施形態の吸引式配湯装置を含むダイカスト成形システム１は、供給側の炉である集中溶解炉２と、集中溶解炉２内から所定量の金属の溶湯（溶融金属）を受湯可能な取鍋３（一方の容器）と、被供給側の炉である保持炉４（他方の容器；他方式の手許炉でもよい）と、保持炉４から溶湯が注湯されるダイカスト成形機５と、取鍋３内の溶湯を汲み出し可能なサイフォン部１２を有する吸引式配湯装置１０と、を含んで構成されている。
【００２６】
集中溶解炉２には、ダイカスト成形用の所定の金属材料が投入されており、例えばアルミニウム合金（ＡＤＣ材）が溶融した状態の金属の溶湯が貯留されている。
【００２７】
取鍋３は、集中溶解炉２内から所定量の金属の溶湯を受湯して収容する耐熱および耐火性の容器である。
【００２８】
図２に示すように、集中溶解炉２側から溶湯を受湯した取鍋３は、リフト車両等の荷役車両８によって保持炉４側に搬送される。そして、そこで、保持炉４側に着脱可能に配置された本実施形態の吸引式配湯装置１０により、取鍋３内の溶湯が汲み出されて保持炉４側に配湯される。
【００２９】
ダイカスト成形機５は、保持炉４から移送される溶湯を成形型のキャビティ内に充填および加圧して圧力鋳造する、公知のダイカスト成形を行うことができる。
【００３０】
吸引式配湯装置１０は、昇降式または固定の支持フレーム１１と、この支持フレーム１１に支持された状態で取鍋３内の溶湯を汲み出し可能なサイフォン部１２とを有しており、取鍋３内からの溶湯をサイフォン部１２を介して取鍋３から被供給側の保持炉４内に配湯するようになっている。
【００３１】
サイフォン部１２は、それぞれ耐火材で形成された第１吸引管２１と第２吸引管２２とを含んで構成されている。
【００３２】
図１中に片断面で示すように、鉛直方向に延びる第１吸引管２１は、被供給側の保持炉４内の溶湯に閉塞状態に浸漬される下端開口部２１ａを有するとともに、被供給側の保持炉４内の溶湯との間に減圧可能な吸引室２３を画成する一端開口形状を有している。ここで、下端開口部２１ａの設置高さは、保持炉４内の配湯可能な下限の液面レベルＬ１より鉛直方向下方に配置される。
【００３３】
また、図１中に縦断面で示すように、第２吸引管２２は、第１吸引管２１の下端から所定高さ位置ｈ１に連結された基端部２２ａと、配湯時に取鍋３に挿入されてその取鍋３内の溶湯に閉塞状態に浸漬される先端部２２ｂと、逆Ｖ字形のように鉛直上方側に凸となる湾曲形状をなす中間部２２ｃとを有している。
【００３４】
さらに、第１吸引管２１の上端側には、吸引室２３内を排気可能な排気口部２１ｃが天井壁部２１ｄを貫通する通路の一部として設けられている。
【００３５】
この排気口部２１ｃは、支持フレーム１１に第１吸引管２１と一体的に支持された真空ポンプ２４と協働して、吸引室２３内を減圧するように吸引排気する排気手段を構成しており、保持炉４内の溶湯の吸引室２３内における略円形の液面Ｌ２ａの高さを、所定高さ位置ｈ１以上でかつ上昇限度液面高さＬｅｘまでの所定範囲ｈａ内に引き上げることができるようになっている。
【００３６】
所定高さ位置ｈ１は、保持炉４内の溶湯の満量状態に対応する上限の液面レベルＬ２からの引き上げ高さｈ２に配置されている。
【００３７】
また、所定高さ位置ｈ１以上の所定範囲ｈａ内に引き上げられる吸引室２３内の液面Ｌ２ａの高さは、好ましくは、第２吸引管２２の基端部２２ａにおいてその内部通路２２ｄが吸引室２３側に開口する高さ範囲よりも上方側である。すなわち、第２吸引管２２の基端部２２ａ側の内部通路２２ｄが溶湯により確実に閉塞状態にされるように、液面Ｌ２ａの引き上げ高さが設定されるのがよい。
【００３８】
さらに、第１吸引管２１の下端開口部２１ａが保持炉４内の溶湯液面下に閉塞状態に浸漬されるとき、第２吸引管２２の先端部２２ｂの鉛直方向高さが取鍋３の内底面３ｂの近傍の下限の液面レベルＬ３に略一致するように、配湯時における取鍋３の支持高さが設定されている。
【００３９】
ここにいう配湯時の下限の液面レベルＬ３は、それぞれ図２中の液面レベルＬ２、Ｌ３の最小高低差ｈ３に対応する取鍋３内の下限液面高さ位置であり、保持炉４内の溶湯の上限の液面レベルＬ２よりも鉛直方向上方側に位置している。したがって、第２吸引管の先端部２２ｂは、保持炉４内の溶湯の液面レベルＬ２の高さよりも鉛直方向上方側に位置するとともに、取鍋３内の溶湯の下限の液面レベルＬ３から上限の液面レベルＬ４までの溶湯貯留高さ領域の下限近傍の鉛直方向高さに配置されることになる。
【００４０】
一方、第１吸引管２１の上端側には、吸引室２３の天井側から鉛直方向下方に突出するように異常検知電極３１が絶縁状態に支持されている。
【００４１】
この異常検知電極３１は、保持炉４内の溶湯の吸引室２３内における液面Ｌ２ａの高さが所定高さ位置ｈ１から高さ方向の所定範囲ｈａを超えて上方に引き上げられたときに第１吸引管２１内の溶湯に接触し導通するようになっており、図外の異常検出回路と協働して、吸引室２３内における液面Ｌ２ａの過剰な上昇（配湯速度の急変）を異常として検知するようになっている。
【００４２】
すなわち、本実施形態においては、排気口部２１ｃを通した吸引室２３内の排気（補助吸引）による負圧と保持炉４内の溶等に加わる大気圧との差圧が大きいために、液面レベルＬ２、Ｌ３の高低差を用いるサイフォン効果に基づく溶湯移動速度が過剰に高まるとき、異常検知電極３１を含む異常検出手段が第１吸引管２１内の液面Ｌ２ａの過剰な上昇を検出し、その異常検出信号を基に吸引室２３内の排気制御（排気速度の増減による圧力制御、あるいは排気通路の遮断および開通）により溶湯移動速度を制御できるようになっている。
【００４３】
また、第１吸引管２１内の吸引室２３の横断面積（通路断面積）は、第２吸引管内の通路の横断面積より大きくなっており、溶湯の移動先である保持炉４側の第１吸引管２１内に吸引室２３を画成しながらも、第２吸引管２２内の溶等の流速を第１吸引管２１内よりも一定比率で高めることにより、第２吸引管２２内の迅速かつ確実な排気と所要の配湯速度の確保とを実現できるように構成されている。
【００４４】
本実施形態では、さらに、第２吸引管２２の先端部２２ｂが取鍋３内の溶湯に閉塞状態に浸漬されるとき、第２吸引管２２の長さ方向の中間部２２ｃが、取鍋３内の溶湯の上限の液面高さＬ２よりも鉛直方向上方側に配置されるようになっており、略逆Ｖ形状に湾曲させた第２吸引管２２を取鍋３に対し上方から抜き差しでき、前述の溶湯移動速度の高速化と相俟って迅速で安全な配湯作業ができるようになっている。
【００４５】
次に、作用について説明する。
【００４６】
上述のように構成された本実施形態の吸引式配湯装置１０およびこれを備えたダイカスト成形システムにおいては、溶湯の移動先である保持炉４側に配置された吸引室２３を通して、安定したサイフォン効果を生じさせるための補助吸引が可能となる。
【００４７】
したがって、溶湯液面が相対的に高所に配置される供給側の取鍋３と溶湯液面が相対的に低所に配置される被供給側の保持炉４との間で、双方の溶湯液面レベルの差が小さくなったとしても、保持炉４内における第１吸引管２１内外の溶湯の液面レベルの差（配湯開始時の高さｈ２に対応）を適度に保つ程度の排気制御（吸引負圧の制御）を行うだけで、所要の溶湯移動速度を保つことができることとなる。その結果、取鍋３から保持炉４内への溶湯の迅速な移動が可能で、しかも、取鍋３の形状やサイズの自由度を高め得る吸引式配湯装置１０となる。
【００４８】
また、従前のように取鍋３を傾けるような配湯作業が必要でなく、取鍋３内のガスが外部に漏れ難いことから、配湯作業の安全性が確保できる。加えて、サイフォン部１２を被供給側である保持炉４に予め配置しておけば、荷役車両等による搬送が要求される個々の取鍋３にサイフォン部１２を装着する必要がない。したがって、被供給側の保持炉４に対して相対的に数が多くなる取鍋３の製造コストおよび搬送コストを低減できることとなり、取鍋３の形状やサイズの自由度も高まることとなる。
【００４９】
本実施形態では、さらに、第２吸引管２２の先端部２２ｂの鉛直方向高さが、第１吸引管２１外における保持炉４内の溶湯の液面レベルＬ２よりも鉛直方向上方側に位置しているので、供給側と被供給側の溶湯の液面高さの差を利用したサイフォン効果を有効に発揮させることができ、溶湯移動速度を十分に高めることができ、迅速な配湯が可能となる。
【００５０】
しかも、配湯時における第２吸引管の先端部２２ｂが、取鍋３内の溶湯の下限の液面高さＬ３に略一致するので、取鍋３内の溶湯の略全量を確実に汲み出すことができる。
【００５１】
加えて、本実施形態では、吸引室２３内の異常な液面上昇を検知する異常検知電極３１が設けられているので、取鍋３側と保持炉４側の溶湯液面の高低差に基づくサイフォン効果での溶湯移動の速度が過剰に高まるのを、吸引室２３内の溶湯に作用する負圧を制御することで、制御できることになる。
【００５２】
しかも、本実施形態では、第１吸引管２１内の吸引室２３の通路断面積が、第２吸引管２２の内部通路２２ｄの断面積より大きいので、被供給側の第１吸引管２１内に吸引室２３を画成しながらも、第２吸引管２２内の管内流速を第１吸引管２１内よりも高めることができ、配湯時に第２吸引管２２内の的確な排気と所要の溶湯移動速度の確保が可能となる。
【００５３】
また、第２吸引管２２の長さ方向の中間部２２ｃが、取鍋３内の溶湯の上限の液面レベルＬ４さよりも鉛直方向上方側に配置されるので、略逆Ｖ形状に湾曲させた第２吸引管２２を取鍋３に対し上方から抜き差しすることができ、前述の第２吸引管２２内の溶湯移動速度の高速化と相俟って、迅速で安全な配湯作業を行うことができる。
【００５４】
このように、本実施形態においては、サイフォン効果を生じさせるための補助吸引が被供給側から可能となり、供給側と被供給側の溶湯の液面レベルの差が小さくなっても、被供給側における吸引管内外の溶湯の液面レベルの差を適度に保つことで、所要の溶湯移動速度を保つことができ、溶湯の迅速な移動が可能となる。
【００５５】
また、荷役車両等による搬送が要求される取鍋３にサイフォン部を装着する必要がなくなることで、取鍋３の製造および搬送コストを低減できることとなり、取鍋３の形状やサイズの自由度も高まることとなる。
【００５６】
よって、溶湯の迅速な移動が可能で、しかも、取鍋の形状やサイズの自由度を高め得る吸引式配湯装置１０を提供することができる。
【００５７】
（他の実施形態）
図３は、本発明の他の実施形態に係る吸引式配湯装置を示している。
【００５８】
なお、本実施形態は、前述の一実施形態と類似する構成を有するので、共通のまたは対応する構成要素については前述の一実施形態と同一の符号を用いて説明する。
【００５９】
本実施形態の吸引式配湯装置１０においては、サイフォン部１２の第１吸引管２１および第２吸引管２２の結合位置と、第２吸引管２２の湾曲形状と、取鍋３の形態とが、それぞれ前述の一実施形態とは相違する。
【００６０】
本実施形態における第２吸引管２２は、その基端部２２ａが第１吸引管２１の上端部に結合されており、吸引室２３に接続する高さ位置（所定高さ位置）と向きが前述の一実施形態の場合とは相違する。
【００６１】
また、第２吸引管２２の基端部２２ａの開口は、吸引室２３内の溶湯の液面Ｌ２ａが吸引室２３内の減圧排気によって引き上げられる高さ位置の近傍に配置されるが、吸引室２３内に開放されていてもよいし、液面Ｌ２ａの下方に入っていてもよい。ただし、第２吸引管２２の両端に所定の圧力差が生じ、サイフォン効果が生じ得るように設定される。
【００６２】
図３中の各液面レベルＬ１、Ｌ２、Ｌ３、Ｌ４のそれぞれか、取鍋３内の溶湯の下限の液面レベルＬ３または保持炉４内の上限の液面レベルＬ２に達したことを検出するセンサと、第１吸引管２１内の液面Ｌ２ａの上限の液面レベルＬｅｘに達したことを検出するセンサとを設けるようにしてもよい。なお、同図中の各液面レベルを指し示す下向の三角形は、各液面レベルのセンサを示している。
【００６３】
他の構成は、前述の一実施形態と同様であり、本実施形態においても、一実施形態と同様の効果が得られる。
【００６４】
なお、前述の各実施形態においては、溶湯の移動先をダイカスト成形機側の保持炉４としたが、溶湯の供給側で液面が相対的に高所に配置される一方の容器は、取鍋に限定されるものでなく、溶湯の被供給側で液面が相対的に低所に配置される他方の容器は、保持炉や手許炉に限定されるものではない。すなわち、集中溶解炉等の溶湯液面が相対的に高所となり取鍋内の溶湯液面が相対的に低所となるような場合には、一方の容器が溶解炉等の炉となり、他方の容器が取鍋となり得るものであり、溶解炉から取鍋への受湯等にも本発明を適用できる。
【００６５】
また、吸引室２３は、真空ポンプ２４での吸引により減圧排気するものとしたが、他の減圧排気方式とすることも考えられる。ただし、減圧（大気圧との差圧）の程度を増減制御できるのがよい。
【００６６】
ここでは、ダイカスト成形機への注湯の手段については、言及しないが、特定の方式に限定されるものでないことはいうまでもない。さらに、ダイカスト成形機がアルミダイカスト成形に限らず、使用する材料やその注湯方式が異なる公知のいずれのものであってもよいことも勿論である。
【００６７】
以上説明したように、本発明は、被供給側からのサイフォン部の補助吸引を行うことで、溶湯の迅速な移動が可能で、しかも、取鍋の形状やサイズの自由度を高め得る吸引式配湯装置を提供できるものであり、ダイカスト成形用の金属の溶湯を取鍋と保持炉等の炉の間で移動させる吸引式配湯装置全般に有用である。
【符号の説明】
【００６８】
１  ダイカスト成形システム
２  集中溶解炉
３  取鍋（一方の容器、供給側の容器）
３ｂ  内底面
４  保持炉（他方の容器、被供給側の容器、手許炉）
５  ダイカスト成形機
１０  吸引式配湯装置
１１  支持フレーム
１２  サイフォン部
２１  第１吸引管
２１ａ  下端開口部
２１ｃ  排気口部（吸引排気手段）
２１ｄ  天井壁部
２２  第２吸引管
２２ａ  基端部
２２ｂ  先端部
２２ｃ  中間部
２２ｄ  内部通路
２３  吸引室
２４  真空ポンプ（排気手段）
３１  異常検知電極
ｈ１  所定高さ位置
ｈ２  引き上げ高さ
ｈ３  最小高低差
Ｌｅｘ  上昇限度液面高さ
Ｌ１  下限の液面レベル（他方の容器内の溶湯液面の下限高さ）
Ｌ２  上限の液面レベル（他方の容器内の溶湯液面の上限高さ）
Ｌ２ａ  液面（第１吸引管室内の溶湯の液面）
Ｌ３  下限の液面レベル（一方の容器内の液面の下限高さ）
Ｌ４  上限の液面レベル（一方の容器内の液面の上限高さ）
【図１】
2020070719.tif 000003
【図２】
2020070719.tif 000004
【図３】
2020070719.tif 000005